(57)【要約】      （修正有）【課題】スイッチの数を減らし、回路の構造を簡単にすることができ、規格機関で強制規定するスイッチ機能を具現することができる電子レンジを提供する。【解決手段】調理室を有する本体と、調理室を開閉するドアと、本体の一領域に設けられて調理室に受容された調理物を加熱するマグネトロンとを備える電子レンジにおいて、電源供給部と；ドアが閉じている時に、閉鎖されて電源供給部からの電源をマグネトロンに供給できるようにする少なくとも一つの第１ドアスイッチ４５と；第１ドアスイッチと直列に連結され、第１ドアスイッチの開閉動作と反対に開閉動作を行うモニタースイッチ４９と；第１ドアスイッチとモニタースイッチの開閉動作が反対に行われない場合、第１ドアスイッチに異常があると判断し、第１ドアスイッチが閉鎖された状態で、ドアが開ければ、マグネトロンに電源が供給されることを遮断する制御部３５とを含む。【選択図】図３
2004317120.tif 000002
【特許請求の範囲】
【請求項１】
調理室を有する本体と、前記調理室を開閉するドアと、前記本体の一領域に設けられて前記調理室に受容された調理物を加熱するマグネトロンと、を備える電子レンジにおいて、
電源供給部と；
前記ドアが閉じている時に、閉鎖されて前記電源供給部からの電源を前記マグネトロンに供給できるようにする少なくとも一つの第１ドアスイッチと；
前記第１ドアスイッチと直列に連結され、前記第１ドアスイッチの開閉動作と反対に開閉動作を行うモニタースイッチと；
前記第１ドアスイッチと前記モニタースイッチの開閉動作が反対に行われない場合、前記第１ドアスイッチに異常があると判断し、前記第１ドアスイッチが閉鎖された状態で、前記ドアが開ければ、前記マグネトロンに電源が供給されることを遮断する制御部と；
を含むことを特徴とする電子レンジ。
【請求項２】
前記電源供給部と前記第１ドアスイッチとの間に設けられて、過電流を遮断するヒューズをさらに含み、
前記制御部は、前記第１ドアスイッチとモニタースイッチが全部閉鎖された状態で、前記ドアが開ければ、前記ヒューズをショート（Short Circuit）することを特徴とする請求項１に記載の電子レンジ。
【請求項３】
前記制御部は、前記第１ドアスイッチが閉鎖されている時、スイッチング素子を駆動させる駆動部に電源を供給することを特徴とする請求項１に記載の電子レンジ。 
【請求項４】
前記第１ドアスイッチと同じ開閉動作を行い、第１ドアスイッチに連動して前記ドアが閉じている時に、前記電源供給部からの電源を前記マグネトロンに供給できるようにする第２ドアスイッチをさらに含むことを特徴とする請求項１乃至請求項３のいずれか１項に記載の電子レンジ。
【発明の詳細な説明】
【技術分野】
【０００１】
本発明は、回路の結線構造をより簡単に構成したドアの安全装置を備えた電子レンジに関する。
【背景技術】
【０００２】
従来の電子レンジは、調理室及び部品室を有する本体と、調理室の前面開口を開閉するドアと、本体の一領域に設けられて多くの機器部品を駆動する操作パネルと、を含む。部品室には、電源供給部から電源が供給されて高電圧を発生させる高圧トランスと、高圧トランスで発生された高電圧によりマイクロ波を発生させるマグネトロンと、が設けられている。
【０００３】
電子レンジには、ドアが開いた状態で、マイクロ波が調理室に供給されることを防ぐための安全装置が設けられている。安全装置は、調理室の前面の開口領域に設けられた一対のフック孔に結合されるようにドアに設けられたラッチ部材と、ドアの開放及び閉鎖に従って開閉される安全スイッチと、を有する。ラッチ部材はフック孔に掛かるように形成された一対のフックを有し、安全スイッチは、ラッチ部材のフックの動作に従って開閉動作を調節する第１ドアスイッチと、第２ドアスイッチと、モニタースイッチと、を有する。
【０００４】
以下、従来のドア安全装置に対して図５の詳細回路図を参照しながら説明する。
従来の電子レンジは、電源供給部１３０と、電源供給部１３０から供給された電源により高電圧を発生させる高圧トランス１３１と、高圧トランス１３１で発生された高電圧によりマイクロ波を発生させるマグネトロン１３３と、を有する。電子レンジには、ドア(図示せず)の開閉に連動する安全スイッチが設けられている。安全スイッチは、ラッチ部材(図示せず)のフック(図示せず)の加圧によりオンされる第１ドアスイッチ１４５と、入力された制御信号に従って開閉動作を行う第２ドアスイッチ１４７と、を有する。
【０００５】
示した回路図には、第１電流ラインＬ２と第２電流ラインＬ３とが高圧トランス１３１の１次側コイルの両端に設けられており、これら第１電流ラインＬ２及び第２電流ラインＬ３の間には、各電流ラインＬ２、Ｌ３と共に閉回路を構成する共通電流ラインＬ１が設けられている。
【０００６】
共通電流ラインＬ１には、電源供給部１３０と、過電流を遮断するヒューズ１３５と、が設けられている。共通電流ラインＬ１と第１電流ラインＬ２との間には、共通電流ラインＬ１と並列に連結されて調理室を照明するランプ１３７と、ランプ１３７と直列につないでランプ１３７のオン・オフ動作を制御することができるリレースイッチ１４１と、が設けられている。また、共通電流ラインＬ１と第１電流ラインＬ２との間には、共通電流ラインＬ１と並列につないで送風ファン(図示せず)を動かすファンモータ１３９と、ファンモータ１３９と直列につないでファンモータ１３９の動作を制御することができるリレースイッチ１４３と、が設けられている。共通電流ラインＬ１と第１電流ラインＬ２の間及び共通電流ラインＬ１と第２電流ラインＬ３の間には、ドアが開ければ閉鎖され、ドアが閉じれば開放する一対のモニタースイッチ１４９が各々設けられている。
【０００７】
このような構成によって、ドアが開ければ、第１ドアスイッチ１４５と第２ドアスイッチ１４７がオフされて、マグネトロン１３３への電源供給を遮断することにより、ドアが開いた状態でマグネトロン１３３からのマイクロ波が調理室に印加されることを遮断することができる。
【０００８】
このような安全スイッチを用いてドアの開閉をチェックする従来のドア安全装置を備えた電子レンジにおいて、安全スイッチの数を減らして、回路を簡単に構成することにより、ドアの開閉に従って電源供給を遮断することができれば、さらに効果的な安全装置を提供することができるだろう。これによって、製造コストのダウンだけでなく、回路構成を簡単にする。
【発明の開示】
【発明が解決しようとする課題】
【０００９】
本発明の目的は、スイッチの数を減らすことにより、さらに簡単な回路を具現することができる電子レンジを提供することである。
【課題を解決するための手段】
【００１０】
本発明は、調理室を有する本体と、前記調理室を開閉するドアと、前記本体の一領域に設けられて前記調理室に受容された調理物を加熱するマグネトロンと、を備える電子レンジにおいて、電源供給部と；前記ドアが閉じている時に、閉鎖されて前記電源供給部からの電源を前記マグネトロンに供給できるようにする少なくとも一つの第１ドアスイッチと；前記第１ドアスイッチと直列に連結され、前記第１ドアスイッチの開閉動作と反対に開閉動作を行うモニタースイッチと；前記第１ドアスイッチと前記モニタースイッチの開閉動作が反対に行われない場合、前記第１ドアスイッチに異常があると判断し、前記第１ドアスイッチが閉鎖された状態で、前記ドアが開ければ、前記マグネトロンに電源が供給されることを遮断する制御部と；を含むことを特徴とする電子レンジにより達成される。
【００１１】
前記電源供給部と前記第１ドアスイッチとの間に設けられて、過電流を遮断するヒューズをさらに含み、前記制御部は、前記第１ドアスイッチとモニタースイッチが全部閉鎖された状態で、前記ドアが開ければ、前記ヒューズをショート（Short Circuit）することが好ましい。
【００１２】
前記制御部は、前記第１ドアスイッチが閉鎖されている時、スイッチング素子を駆動させる駆動部に電源を供給することが望ましい。
前記第１ドアスイッチと同じ開閉動作を行い、第１ドアスイッチに連動して前記ドアが閉じている時に、前記電源供給部からの電源を前記マグネトロンに供給できるようにする第２ドアスイッチをさらに含むことが効果的である。
【発明を実施するための最良の形態】
【００１３】
以下、図面を参照して本発明を詳しく説明する。
図１は本発明による電子レンジの斜視図であり、図２は本発明によるドアの安全装置の制御ブロック図である。これらの図面に示されるように、本発明による電子レンジは、調理物を受容する調理室３及び多くの機器部品が設けられる部品室５を備えた本体１と、調理室３の前面開口を開閉するドア７と、部品室３の前方に設けられて機器部品を駆動する操作パネル９と、を有する。
【００１４】
部品室５には、電源供給部から電源が供給されて高電圧を発生させる高圧トランス３１と、高圧トランス３１で発生された高電圧によりマイクロ波を発生させるマグネトロン３３等の部品が設けられている。
【００１５】
電子レンジには、ドア７が開いた状態で、調理室３にマイクロ波が供給されることを防ぐための安全装置が設けられている。安全装置は、図１及び図２に示すように、調理室３の前面の開口領域に設けられた一対のフック孔１１と結合されるようにドア７側に設けられたラッチ部材１３と、ドア７の開閉に従ってラッチ部材１３に連動する安全スイッチと、を有する。
【００１６】
ラッチ部材１３は、フック孔１１に掛るように形成された一対のフック１５を有し、安全スイッチは、ドア７の開放及び閉鎖に従って開閉される第１ドアスイッチ４５と、入力された制御信号に従って開閉動作を行うことができる第２ドアスイッチ４７と、第１ドアスイッチ４５と逆動作を行うモニタースイッチ４９と、を有する。
【００１７】
一方、電子レンジには、回路に過電流が流れることを遮断するヒューズ３５と、安全スイッチの動作に基づいてマグネトロン３３への電源供給を遮断する制御部５０が設けられている。制御部５０は、第１ドアスイッチ４５が閉鎖された時に、スイッチング素子である各ドアスイッチを駆動させるドライバ６０に電源を供給する。
【００１８】
制御部５０は、第１ドアスイッチ４５、第２ドアスイッチ４７及びモニタースイッチ４９が全部閉鎖されたり、全部開放されたりすれば、これら安全スイッチの中で少なくともいずれか一つに異常が発生したことを判断する。制御部５０は、安全スイッチに異常があると判断した状態で、ドア７が開ければ、ヒューズ３５を強制に切ることができる。
【００１９】
以下、本発明によるドアの安全装置を示した詳細回路図である図３及び本発明によるドアの安全装置の制御フローチャートである図４を参照して本発明の安全装置を具体的に説明する。
【００２０】
本発明による安全装置を備える電子レンジは、電源を供給する電源供給部３０と、電源供給部３０からの電源により高電圧を発生させる高圧トランス３１と、電源供給部３０と高圧トランス３１を連結し電源を供給する閉回路を構成する常用電流ラインと、高圧トランス３１で発生された電圧によりマイクロ波を発生させるマグネトロン３３と、を有する。
【００２１】
常用電流ラインは、高圧トランス３１の一次側コイルに連結される第１電流ラインＬ２及び第２電流ラインＬ３と、第１電流ラインＬ２と第２電流ラインＬ３との間に設けられてこれら第１電流ラインＬ２及び第２電流ラインＬ３と共に閉回路を構成する共通電流ラインＬ１と、を有する。
【００２２】
常用電流ラインの共通電流ラインＬ１上には、電源供給部３０と、マグネトロン３３等の部品に供給される過電流を遮断することができるヒューズ３５と、が設けられている。第１電流ラインＬ２及び共通電流ラインＬ１でなった閉回路(以下、第１閉回路)上には、調理室３を照明するランプ３７と、送風ファン(図示せず)を駆動するファンモータ３９と、が各々並列に連結されている。第１閉回路上には、並列に連結されたランプ３７とファンモータ３９に直列に連結されて、ランプ３７とファンモータ３９の動作を制御することができるリレースイッチ４１、４３が各々設けられている。
【００２３】
また、第２電流ラインＬ３及び共通電流ラインＬ１からなる閉回路(以下、第２閉回路)上には、電源供給部３０と直列に連結され、ドア７が閉じれば閉鎖される第１ドアスイッチ４５が設けられている。第２閉回路上には、第１ドアスイッチ４５と直列に連結され、第１ドアスイッチ４５と反対に動作するモニタースイッチ４９が設けられている。本詳細回路図の常用電流ラインには、ドア７が閉じた時、即ち、第１ドアスイッチ４５が閉鎖された状態で外部制御信号により開閉される第２ドアスイッチ４７が設けられている。その他にも、図３には低圧トランス、温度センサ、ドア開閉感知センサスイッチ及びFET（Field Effect Transistor）のような多くの機器部品が示されている。
【００２４】
このような構成によって、ユーザが電子レンジのドアを閉めれば、第１ドアスイッチ４５が閉鎖状態を維持しながら、第２ドアスイッチ４７は外部から閉鎖信号が入力された時に閉鎖状態を維持することができる。この時、モニタースイッチ４９は、開放状態を維持し、これによって電源供給部３０からの電源がマグネトロン３３に供給される。供給電源によりマグネトロン３３で発生したマイクロ波が調理室に供給される。
【００２５】
これに対して、電子レンジのドア７が開いた状態では、第１ドアスイッチ４５が開放状態を維持するので、第２ドアスイッチ４７の開閉に関わらず、マグネトロン３３への電源供給を遮断することができる。
【００２６】
図４に示すように、制御部５(図２参照)は、ドア７の開閉可否を判断して(S10)、ドア７が開けば、第１ドアスイッチ４５及びモニタースイッチ４９が閉鎖状態であるか否かを判断する(S20)。ドア７が開いた状態で、第１ドアスイッチ４５及びモニタースイッチ４９が閉鎖状態であると判断されば、制御部５０は、第１ドアスイッチ４５及びモニタースイッチ４９の中で少なくともいずれか一つに異常があると判断する(S30)。その後、制御部５０は、電源供給部３０と第１ドアスイッチ４５の間に設けられたヒューズ３５を強制的に短絡させる(S40)。制御部５０によってヒューズ３５が強制的に短絡されれば、ドア７が開いた状態で、マグネトロン３３からマイクロ波が生成されることを防ぐことができ、回路の安全性をさらに向上することができる。
【００２７】
以上のように、電源供給部と、ドアが閉じている時に閉鎖されて、前記電源供給部からの電源を前記マグネトロンに供給する第１ドアスイッチと、前記第１ドアスイッチと直列に連結され前記第１ドアスイッチと反対に開閉動作を行うモニタースイッチと、前記第１ドアスイッチと前記モニタースイッチの開閉動作が反対に行われない場合には、前記第１ドアスイッチに異常があると判断し、前記第１ドアスイッチと前記モニタースイッチが全部閉鎖された状態で、前記ドアが開けば、前記マグネトロンに電源が供給されることを遮断する制御部と、を含むことにより、電子レンジの安全スイッチを具現することができる。
スイッチの数を減らして、回路の構造を簡単に構成することによって、製造コストをダウンさせることができ、回路の安全性を向上させることができる。
【００２８】
以上、説明したように、本発明によると、スイッチの数を減らすことにより、回路の構造を簡単に構成することができ、スイッチ機能を具現することができる電子レンジを提供することである。
【図面の簡単な説明】
【００２９】
【図１】本発明による電子レンジの斜視図である。
【図２】本発明による電子レンジの制御ブロック図である。
【図３】本発明によるドアの安全装置を具体的に示した詳細回路図である。
【図４】本発明によるドアの安全装置の制御フローチャートである。
【図５】従来のドア安全装置を具体的に示した詳細回路図である。
【符号の説明】
【００３０】
１  本体
３  調理室
５  部品室
７  ドア
１１  フック孔
１３  ラッチ部材
１５  フック
Ｌ１  共通電流ライン
Ｌ２  第１電流ライン
Ｌ３  第２電流ライン
３０  電源供給部
３１  高圧トランス
３３  マグネトロン
３５  ヒューズ
３７  ランプ
３９  ファンモータ
４１  リレースイッチ
４５  第１ドアスイッチ
４７  第２ドアスイッチ
４９  モニタスイッチ
【図１】
2004317120.tif 000003
【図２】
2004317120.tif 000004
【図３】
2004317120.tif 000005
【図４】
2004317120.tif 000006
【図５】
2004317120.tif 000007